(57)【要約】【課題】システマチックビットを多く含むサブフレーム（ＳＩの初回送信におけるＲＶ＝０のサブフレームなど）に対して、それよりも優先して送信すべき情報の送信タイミングが重複した場合であっても、受信側に対して、復号に用いるシステマチックビットを早急に送信することのできる無線通信装置及び無線通信方法を提供する。【解決手段】ＳＩ送信方法決定部１０２は、ＳＩの初送でＲＶが０以外であり、かつ、ＤＣＩフォーマットが１Ａである場合、ＲＶを０に変更する。また、ＳＩ送信方法決定部１０２は、ＳＩの初送でＲＶが０以外であり、かつ、ＤＣＩフォーマットが１Ｃである場合、ＰＤＣＣＨのリソースに所定量の空きがあれば、ＤＣＩフォーマットを１Ｃから１Ａに変更すると共に、ＲＶを０に変更する。【選択図】図３
2011249915.tif 000002
【特許請求の範囲】
【請求項１】
システマチックビットとパリティビットとから構成されるデータを、所定のフォーマットにて、複数のサブフレームを用いてデータを送信する無線通信装置であって、
前記複数のサブフレームのうち、前記システマチックビットを含む所定のサブフレームが送信されるタイミングが、前記データよりも優先して送信すべき他の情報のサブフレームが送信されるタイミングと重複するか否かを判定する判定手段と、
前記タイミングが重複し、かつ、前記フォーマットが、送信されるサブフレームに前記データのどの部分の情報が含まれるかを示すことのできる第１のフォーマットである場合、前記所定のサブフレームの次に送信すべきサブフレームを、前記所定のサブフレームに変更するデータ送信方法決定手段と、
を具備する無線通信装置。
【請求項２】
前記データ送信方法決定手段は、前記タイミングが重複し、前記フォーマットが、送信されるサブフレームに前記データのどの部分の情報が含まれるかを示すことのできない第２のフォーマットである場合、前記データの送信に用いるチャネルのリソースに空きがあることを条件に、前記データの送信に用いるフォーマットを前記第１のフォーマットに変更すると共に、前記次に送信すべきサブフレームを前記所定のサブフレームに変更する
請求項１に記載の無線通信装置。
【請求項３】
前記データ送信方法決定手段は、前記タイミングが重複し、かつ、前記フォーマットが送信されるサブフレームに前記データのどの部分の情報が含まれるかを示すことのできない第２のフォーマットである場合、前記複数のサブフレームに含まれるシステマチックビットが一定の割合を超えるまでリソースブロックの割り当て数を増加させる請求項１に記載の無線通信装置。
【請求項４】
前記データの送信において前記所定のサブフレームと重複するタイミングには、マルチキャスト通信またはブロードキャスト通信のサブフレームが送信されるタイミングを割り当てない送信タイミング決定手段を具備する請求項１に記載の無線通信装置。
【請求項５】
前記複数のサブフレームのうち、前記所定のサブフレームは、前記所定のサブフレームの次に送信すべきサブフレームよりも多くのシステマチックビットを含むサブフレームである請求項１に記載の無線通信装置。
【請求項６】
前記データは、システマチックビットの後にパリティビットが連結された構造を持ち、前記所定のサブフレームは、前記データの最初の部分を含むサブフレームである請求項５記載の無線通信装置。
【請求項７】
前記データの初送において最初に送信されるサブフレームが前記所定のサブフレームではない場合、当該サブフレームを無線通信端末装置における復号対象から除外する除外手段を具備する請求項６に記載の無線通信装置。
【請求項８】
前記データよりも優先して送信すべき他の情報は、前記他の情報の送信がなければ前記データの初送が行われるべきタイミングで送信され、
前記所定のサブフレームは、前記データの先頭を含むサブフレームである
請求項１記載の無線通信装置。
【請求項９】
システマチックビットとパリティビットとから構成されるデータを、所定のフォーマットにて、複数のサブフレームを用いてデータを送信する無線通信装置であって、
前記複数のサブフレームのうち、前記システマチックビットを含む所定のサブフレームが送信されるタイミングが、前記データよりも優先して送信すべき他の情報のサブフレームが送信されるタイミングと重複するか否かを判定する工程と、
前記タイミングが重複し、かつ、前記フォーマットが、送信されるサブフレームに前記データのどの部分の情報が含まれるかを示すことのできる第１のフォーマットである場合、前記所定のサブフレームの次に送信すべきサブフレームを、前記所定のサブフレームに変更する工程と、
を具備する無線通信方法。
【発明の詳細な説明】
【技術分野】
【０００１】
本発明は、無線通信装置及び無線通信方法に関する。
【背景技術】
【０００２】
次世代通信規格の１つであるＬＴＥ（Long Term Evolution）では、ＢＣＨ（Broadcast Channel）をＭＩＢ（Master Information Block）とＳＩＢ（System Information Block）とに分類してそれぞれ別チャネルで送信する。
【０００３】
ＭＩＢは、ＰＢＣＨ（Physical Broadcast Channel）で送信され、下りリンクのセル帯域幅に関する情報、セルのＰＨＩＣＨ（Physical Hybrid ARQ Indicator Channel）構成に関する情報、システムフレーム番号（以下、「ＳＦＮ（System Frame Number）」という）などの情報である。
【０００４】
また、ＳＩＢは、ＰＤＳＣＨ（Physical Downlink Shard Channel）で送信され、１１種類（type1〜11）ある。ＤＬＳＣＨ（Down Link Shared Channel）でＳＩＢ情報を送信することをＤ−ＢＣＨ（Dynamic BCH）と呼ぶ。具体的には、ＳＩＢ１（SIB type1）は、端末がセルに属することが許可されているか否かに関連する情報であり、ＳＩＢ２は、上りリンクのセル帯域幅、ランダムアクセスパラメータ、上りリンク電力制御に関する情報などである。また、ＳＩＢ３は、セル再選択に関する情報であり、ＳＩＢ４〜８は隣接セルに関する情報である。ＳＩＢ２〜１１のうち１つ又は複数のＳＩＢでＳＩメッセージ（SI message）が構成される。ＳＩＢ１とＳＩの送信タイミングは異なっており、ＵＥ（User Equipment）はこれらを同時受信することがないので、あるタイミングではＳＩＢ１かＳＩのいずれかのみを受信処理する。なお、ＳＩＢは、ＰＤＳＣＨで送信されるため、チャネル符号化にはターボ符号が適用される。
【０００５】
また、レートマッチング（Rate Matching）は、サーキュラバッファ（ＣＢ：Circular Buffer）ベースで実施され、リダンダンシーバージョン（ＲＶ：Redundancy Version）で送信開始位置が決められる。サーキュラバッファには、先頭にシステマチックビット（systematic bit）が格納され、次いで、パリティビット（parity bit）が格納される。ＲＶは、送信開始タイミングから１サブフレーム毎に０、２、３、１と繰り返され、指定されたＲＶの先頭から送信可能な物理データサイズ分のデータがサーキュラバッファから取り出される。
【０００６】
ＰＤＳＣＨの復号には、ＲＢ割り当て（Resource Block assignment）及びＭＣＳ（Modulation and Coding Scheme）から求められるＴＢＳ（Transport Block Size）などの情報が必要であり、また、ＰＤＣＣＨ（Physical Downlink Control Channel）を復号しなければならない。
【０００７】
また、Ｄ−ＢＣＨ、ＤＬＳＣＨ、ＰＣＨなどのチャネルを受信するためには、ＤＣＩ（Downlink Control Information）という制御情報が必要である。下り用には、ＤＣＩ １、１Ａ、１Ｂ、１Ｃ、１Ｄ、２、２Ａの各フォーマットが用意されており、いずれのフォーマットを用いるかは送信するＲＮＴＩや送信モード（ＳＩＳＯ、ＭＩＭＯなど）によって決定される。ただし、Ｄ−ＢＣＨを送信する場合には、ＤＣＩフォーマットは１Ａと１Ｃのいずれかで送信することが規定されている。ＤＣＩフォーマット１Ａでは、ＲＢ割り当て、ＭＣＳインデックス、ＨＡＲＱ ＮＤＩ（Hybrid-ARQ New Data Indicator）、ＲＶ、ＴＰＣ（Transmit Power Control）等の情報を送信し、ＤＣＩフォーマット１Ｃでは、ＲＢ割り当て、ＴＢＳインデックスを送信する。なお、送信に要するビット数はＤＣＩフォーマット１Ｃの方がＤＣＩフォーマット１Ａよりも少ない。
【０００８】
ＳＩＢ１とＳＩの送信タイミングについて、非特許文献１には次のように規定されている。すなわち、ＳＩＢ１の送信タイミングは、ＳＦＮ ｍｏｄ ２を満たすフレームで＃５のサブフレームであり、ＳＩの送信タイミングはＳＦＮ ｍｏｄ Ｔ＝ｆｌｏｏｒ｛（ｎ−１）＊ｗ／１０｝を満たすフレームである。ここで、ＴはＳＩの周期（SI Periodicity）、ｗはＳＩのウィンドウ長（SI Window Length）、ｎはＳＩ番号である。受信開始のサブフレーム番号は、｛（ｎ−１）＊ｗ｝ ｍｏｄ １０である。
【０００９】
また、非特許文献２には、ＳＩＢ１とＳＩの送信タイミングが重なった時、ＳＩＢ１を送信し、ＳＩは送信しないことが開示されている。上記の非特許文献１の技術にこの非特許文献２の技術を組み合わせた様子を図１に示す。また、非特許文献２には、マルチキャスト及びブロードキャストシングル周波数ネットワーク（以下、「ＭＢＳＦＮ（Multicast and Broadcast Single Frequency Network）」という）のサブフレームは、＃１、２、３、６、７、８であり、ＳＩより優先して送信されることが開示されている。
【先行技術文献】
【非特許文献】
【００１０】
【非特許文献１】3GPP TS36.321 V8.6.0, “MAC protocol specification”
【非特許文献２】3GPP TS36.331 V8.6.0, “RRC Protocol specification”
【発明の概要】
【発明が解決しようとする課題】
【００１１】
しかしながら、上記非特許文献２に開示の技術では、ＳＩの送信よりＳＩＢ１、ＭＢＳＦＮが優先して送信されるので、図２（ａ）に示すように、初回送信となるＳＩのＲＶが０でない場合（図２では、ＲＶ＝２の場合を示す）がある。送信する物理データサイズ次第では、図２（ｂ）に示すように、ＲＶが０のサブフレームにシステマチックビット（Systematic bit）が多く含まれることがある。この場合、システマチックビットを多数送信できないことがある。システマチックビットの多くが失われると、ターボ復号による誤り訂正能力が期待できず、ＳＩを復号できないという問題がある。
【００１２】
本発明の目的は、システマチックビットを多く含むサブフレーム（ＳＩの初回送信におけるＲＶ＝０のサブフレームなど）に対して、それよりも優先して送信すべき情報の送信タイミングが重複した場合であっても、受信側に対して、復号に用いるシステマチックビットを早急に送信することのできる無線通信装置及び無線通信方法を提供することである。
【課題を解決するための手段】
【００１３】
本発明の無線通信装置は、システマチックビットとパリティビットとから構成されるデータを、所定のフォーマットにて、複数のサブフレームを用いてデータを送信する無線通信装置であって、前記複数のサブフレームのうち、前記システマチックビットを含む所定のサブフレームが送信されるタイミングが、前記データよりも優先して送信すべき他の情報のサブフレームが送信されるタイミングと重複するか否かを判定する判定手段と、前記タイミングが重複し、かつ、前記フォーマットが、送信されるサブフレームに前記データのどの部分の情報が含まれるかを示すことのできる第１のフォーマットである場合、前記所定のサブフレームの次に送信すべきサブフレームを、前記所定のサブフレームに変更するデータ送信方法決定手段と、を具備する構成を採る。
【００１４】
本発明の無線通信方法は、システマチックビットとパリティビットとから構成されるデータを、所定のフォーマットにて、複数のサブフレームを用いてデータを送信する無線通信装置であって、前記複数のサブフレームのうち、前記システマチックビットを含む所定のサブフレームが送信されるタイミングが、前記データよりも優先して送信すべき他の情報のサブフレームが送信されるタイミングと重複するか否かを判定する工程と、前記タイミングが重複し、かつ、前記フォーマットが、送信されるサブフレームに前記データのどの部分の情報が含まれるかを示すことのできる第１のフォーマットである場合、前記所定のサブフレームの次に送信すべきサブフレームを、前記所定のサブフレームに変更する工程と、を具備するようにした。
【発明の効果】
【００１５】
本発明によれば、システマチックビットを多く含むサブフレーム（ＳＩの初回送信におけるＲＶ＝０のサブフレームなど）に対して、それよりも優先して送信すべき情報の送信タイミングが重複した場合であっても、受信側に対して、復号に用いるシステマチックビットを早急に送信することができる。
【図面の簡単な説明】
【００１６】
【図１】非特許文献１の技術にこの非特許文献２の技術を組み合わせた様子を示す図
【図２】非特許文献２に開示の技術における課題を示す図
【図３】本発明の実施の形態１に係る無線通信装置の構成を示すブロック図
【図４】図３に示したＳＩ送信方法決定部におけるＳＩの送信手順を示すフロー図
【図５】本発明の実施の形態２に係る無線通信装置の構成を示すブロック図
【図６】本発明の実施の形態３に係る無線通信装置の構成を示すブロック図
【発明を実施するための形態】
【００１７】
以下、本発明の実施の形態について、図面を参照して詳細に説明する。ただし、実施の形態において、同一機能を有する構成には同一符号を付し、重複する説明は省略する。
【００１８】
（実施の形態１）
図３は、本発明の実施の形態１に係る無線通信装置１００の構成を示すブロック図である。以下、図３を用いて無線通信装置１００の構成について説明する。
【００１９】
ＳＩ初送再送判定部１０１は、ＳＩ周期、ＳＩウィンドウ長、ＳＦＮ及びサブフレーム番号を取得し、取得したＳＩ周期とＳＩウィンドウ長とからＳＩ毎に送信するＳＦＮ及びサブフレーム番号を求める。また、ＳＩＢ１のＳＦＮ及びサブフレーム番号を求める。また、現ＳＦＮ、サブフレーム番号からＳＩの送信回数を求める。ただし、ＳＩＢ１の送信があった場合には、ＳＩの送信回数を増やさない。ＳＩ初送再送判定部１０１は、送信回数が０であればＳＩの初送と判定し、送信回数が１以上であればＳＩの再送と判定する。ＳＩが初送か再送かの情報はＳＩ送信方法決定部１０２に出力される。
【００２０】
ＳＩ送信方法決定部１０２は、ＲＶ、ＲＢ割当情報、ＤＣＩフォーマットを取得し、ＰＤＣＣＨリソース制御部１０３にリソースサイズの変更要求を出力する。ＳＩ送信方法決定部１０２は、リソースサイズ変更の可否をＰＤＣＣＨリソース制御部１０３から取得する。また、ＰＤＳＣＨリソース制御部１０４にリソースサイズの変更要求を出力し、その可否を取得し、ＲＶ、ＲＢ割当情報、ＤＣＩフォーマットを出力する。具体的には以下の通りである。
【００２１】
ＳＩ送信方法決定部１０２は、初送でＲＶ＝０であれば、受信したＲＶ、ＲＢ割当情報、ＤＣＩフォーマットを出力する。ＲＶ＝０ではない場合、ＤＣＩフォーマットを確認し、１ＡであればＲＶ＝０、ＲＢ割当情報、ＤＣＩフォーマットは取得した値を出力する。
【００２２】
一方、ＤＣＩフォーマットが１ＣではＲＶ自体を送信しないため、ＤＣＩフォーマットが１Ａの場合のように強制的にＲＶ＝０とすることができない。そこで、ＤＣＩフォーマットが１Ｃの場合には、ＤＣＩフォーマット自体を１Ａに変更する。ただし、上述したとおり、ＤＣＩフォーマット１ＡはＤＣＩフォーマット１Ｃよりも必要となるビット数が多いので、リソースサイズの都合上、フォーマットを変更できない場合がある。そこで、ＤＣＩフォーマットが１Ｃの時、ＳＩ送信方法決定部１０２は、ＰＤＣＣＨリソース制御部１０３にリソースサイズ変更要求を出力する。ＰＤＣＣＨリソース制御部１０３からリソースサイズ変更可能と通知された場合、ＳＩ送信方法決定部１０２は、ＤＣＩフォーマットを１Ａ、ＲＶ＝０として出力し、ＲＢ割当情報は受信した値を出力する。一方、ＰＤＣＣＨリソース制御部１０３からリソースサイズ変更不可と通知された場合、ＳＩ送信方法決定部１０２は、ＲＢ割当情報から送信物理データサイズを求め、ＲＶを用いて送信可能なシステマチックビットを求める。
【００２３】
送信可能なシステマチックビットが一定の割合を満たしている場合、受信したＲＶ、ＲＢ割当情報、ＤＣＩフォーマットで出力する。逆に、送信可能なシステマチックビットが一定の割合を満たしていない場合、ＰＤＳＣＨリソース制御部１０４にリソースサイズ変更要求を出力し、その可否を取得する。
【００２４】
リソースサイズが変更可能な場合、システマチックビットが一定の割合になるまでＲＢ割り当て数を増やす。一方、リソースサイズが変更不可の場合、終了し、現時点でのＲＢ割り当て、受信したＲＶ、ＤＣＩフォーマットを出力する。
【００２５】
ＰＤＣＣＨリソース制御部１０３、ＰＤＳＣＨリソース制御部１０４は、ＳＩ送信方法決定部１０２からのリソースサイズの変更要求に対して、その可否をそれぞれ出力する。これは、一般的なリソース制御を示す。すなわち、リソースに余裕があり、リソースサイズを変更可能な場合、リソースサイズが変更可能であることをＳＩ送信方法決定部１０２に通知し、リソースに余裕がない場合、リソースサイズが変更不可であることをＳＩ送信方法決定部１０２に通知する。
【００２６】
次に、図３に示したＳＩ送信方法決定部１０２におけるＳＩの送信手順について図４を用いて説明する。図４において、ステップ（以下、「ＳＴ」と省略する）２０１では、ＳＩ送信開始タイミングから経過したサブフレーム数を求め、ＲＶを決定する。また、ＲＢ割り当て数（ＲＢアサイン数）を決定する。
【００２７】
ＳＴ２０２では、ＳＩが初送であり、かつ、ＲＶが０か否かを判断する。この条件を満たす場合、ＳＴ２０３へ移行し、この条件を満たさない場合、ＳＩの送信処理を終了する。ここで、ＳＩの初送を判断するとは、ＳＩ送信開始タイミングからＳＩがＳＩＢ１又はＭＢＳＦＮの影響を受けずに、送信できたかどうかを意味する。
【００２８】
ＳＴ２０３では、送信するＤＣＩフォーマットが１Ａか否か判断する。ＤＣＩフォーマットが１Ａであれば、ＳＴ２０４へ移行し、ＲＶ＝０としてＳＩを送信して処理を終了する。一方、ＤＣＩフォーマットが１Ａ以外、すなわち、１Ｃの場合、ＳＴ２０５へ移行する。
【００２９】
ＳＴ２０５では、ＰＤＣＣＨのリソースに空きがあるか否か判断し、空きがある場合はＳＴ２０６へ移行し、ＤＣＩフォーマットを１Ａ、ＲＶ＝０としてＳＩを送信して処理を終了する。一方、リソースに空きがない場合はＳＴ２０７へ移行する。
【００３０】
ＳＴ２０７では、ＳＴ２０１において求めたＲＶを基準として、システマチックビットの送信が８割以上か否か判断する。８割以上であればＳＩの送信処理を終了し、８割未満であればＳＴ２０８へ移行する。なお、ここでは、システマチックビットの送信は８割としたが、本発明はこれに限らず、任意の値を設定することができる。
【００３１】
ＳＴ２０８では、ＰＤＳＣＨのリソースに空きがあるか否か判断し、空きがある場合ＳＴ２０９へ移行し、ＲＢ割り当て数を増やしてＳＴ２０７へ戻る。ＰＤＳＣＨのリソースに空きがない場合はＳＩの送信処理を終了する。
【００３２】
なお、システマチックビットが８割に満たない初送のＳＩは、受信側において、ＬＬＲ（Log Likelihood Ratio）導出、デスクランブリング、デレートマッチング、ＨＡＲＱ ＩＲバッファ格納までの処理が行われるが、ターボ復号は行われない。また、ＣＲＣ（Cyclic Redundancy Check）判定はＮＡＣＫと判定される。
【００３３】
また、Ｄ−ＢＣＨが初送となるサブフレームには、ＭＢＳＦＮを送信しないようスケジューリングする。また、ＳＩＢ１によってＲＶ＝０が送信できないＳＩにはＵＥを割り当てないようにする。
【００３４】
このように実施の形態１によれば、ＳＩの初送でＲＶが０ではない場合、ＤＣＩフォーマットが１Ａであれば、ＲＶを０に変更し、ＤＣＩフォーマットが１Ｃであれば、ＰＤＣＣＨのリソースに所定量の空きがあることを条件にＤＣＩフォーマットを１Ａに変更すると共に、ＲＶを０に変更することにより、ＳＩの初送において十分な量のシステマチックビットを送信することができるので、受信側のＵＥがＳＩを復号することができる。
【００３５】
また、ＤＣＩフォーマットが１Ｃの場合に、ＤＣＩフォーマットの変更ができない場合には、ＲＢ割り当て数を増やすことで、十分な量のシステマチックビットが送信できるよう制御する。
【００３６】
なお、本実施の形態の骨子は、以下の通りである。ＬＴＥ規格では、規格の制約上、複数のサブフレームを使って送られるデータ（上記では、ＳＩに相当）のうち、システマチックビットを多く含むサブフレーム（例えば、ＳＩのＲＶ＝０となるサブフレーム）と重複するタイミングで、より優先度の高い他の情報（ＳＩＢ）を送信しなくてはならない場合がある。そのため、その場合には、優先度の高い情報（ＳＩＢ）を送信し、このサブフレームを送らないような制御が行われる。
【００３７】
しかし、システマチックビットを多く含むサブフレームが送信されない場合、復号に用いるシステマチックビットが不足するため、２回目以降の送信があるまで、復号が困難になる。そこで、本実施の形態では、以下のような対策を採っている。
【００３８】
まず、ＤＣＩフォーマットが１Ａの場合について考える。ＤＣＩフォーマットが１Ａの場合は、システマチックビットを多く含むサブフレームの次のサブフレーム（システマチックビットが少ない）を、強制的に、システマチックビットを多く含むサブフレームに変更して送信を行う。これによって、次のサブフレームを犠牲にする代わりに、多くのシステマチックビットを送信することができる。なお、ＤＣＩフォーマット１Ａは、送信開始位置を示すＲＶの通知を行うことのできるフォーマットである。そのため、送信側で送信するサブフレームが強制的に切り換えられたとしても、受信側でどのサブフレームが送信されたのか誤認することはない。
【００３９】
続いて、ＤＣＩフォーマットが１Ｃの場合について考える。ＤＣＩフォーマット１Ｃでは、ＲＶの情報が通知されないため、ＤＣＩフォーマットが１Ａの場合のように、サブフレームを強制的に切り換えるだけでは、受信側で送信されたサブフレームの誤認が生ずる。そこで、ＤＣＩフォーマットを１Ａに変更した上で、１Ａと同様の処理を行っている。ただし、ＤＣＩフォーマット１Ｃの方がＤＣＩフォーマット１Ａよりも求められるビット数が少ないため、単純にＤＣＩフォーマットを１Ａに切り換えようとしてもリソースが不足する恐れがある。そのような場合には、フォーマットは１Ｃのまま、システマチックビットを増やして、システマチックビットを多く含むサブフレームがなくとも残りのサブフレームの情報から復号できるようにしている。
【００４０】
（実施の形態２）
図５は、本発明の実施の形態２に係る無線通信装置１２０の構成を示すブロック図である。以下、図５を用いて無線通信装置１２０の構成について説明する。ただし、図５が図３と異なる点は、ＭＢＳＦＮ送信タイミング決定部１２２を追加し、ＳＩ初送再送判定部１０１をＳＩ初送再送判定部１２１に変更した点である。
【００４１】
ＳＩ初送再送判定部１２１は、ＳＩ毎のＲＶ＝０となるＳＦＮ及びサブフレーム番号を求めて、ＭＢＳＦＮ送信タイミング決定部１２２に出力する。
【００４２】
ＭＢＳＦＮ送信タイミング決定部１２２は、ＳＩ毎のＲＶ＝０となるＳＦＮ及びサブフレーム番号を取得し、ＭＢＳＦＮ送信サブフレーム番号を出力する。ＭＢＳＦＮ送信タイミング決定部１２２は、ＳＩ毎のＲＶ＝０となるサブフレーム番号がＭＢＳＦＮの送信可能なサブフレーム番号と一致するか否かを確認し、一致する場合、このサブフレームをＭＢＳＦＮ送信対象外のサブフレームとする。すなわち、このサブフレームにＭＢＳＦＮのサブフレームを割り当てないようにする。一方、一致しない場合、このサブフレームをＭＢＳＦＮ送信対象のサブフレームとする。
【００４３】
このように実施の形態２によれば、ＳＩ毎のＲＶ＝０となるサブフレーム番号がＭＢＳＦＮの送信可能なサブフレーム番号と一致する場合には、このサブフレームにＭＢＳＦＮのサブフレームを割り当てないことにより、ＳＩよりもＭＢＳＦＮを優先することを回避することができる。
【００４４】
なお、本実施の形態の骨子は以下の通りである。ＭＢＳＦＮ送信のような、いわゆるマルチキャスト通信もしくはブロードキャスト通信を行う場合、全ユーザに同時に同じ情報を送ることが求められ、あるユーザにだけ送信タイミングを遅らせることはできない。そのため、このタイミングがシステマチックビットを多く含むサブフレーム（例えば、ＳＩのＲＶ＝０となるサブフレーム）の送信タイミングと重複すると、そのサブフレームの送信よりもマルチキャスト通信が優先される。従って、実施の形態１と同様、ＳＩの復号が遅れるという課題がある。
【００４５】
ここで、マルチキャスト通信は、実施の形態１に示したＳＩＢほどタイミングの制約が厳しくはない。従って、本実施の形態では、マルチキャスト通信のタイミングをずらすことでこの課題を解決している。
【００４６】
（実施の形態３）
図６は、本発明の実施の形態３に係る無線通信装置１３０の構成を示すブロック図である。以下、図６を用いて無線通信装置１３０の構成について説明する。ただし、図６が図３と異なる点は、ＳＩＢ１情報決定部１３２を追加し、ＳＩ初送再送判定部１０１をＳＩ初送再送判定部１３１に変更した点である。
【００４７】
ＳＩ初送再送判定部１３１は、ＳＩ毎のＲＶ＝０となるＳＦＮ及びサブフレーム番号を求めて、ＳＩＢ１情報決定部１３２に出力する。
【００４８】
ＳＩＢ１情報決定部１３２は、ＳＩ初送再送判定部１３１からＳＩ毎のＲＶ＝０となるＳＦＮ及びサブフレーム番号を取得し、ＳＩＢ１情報を出力する。ＳＩＢ１情報決定部１３２では、ＳＩ毎にＳＩＢ１によってＲＶ＝０の送信がなくなるか否かを判定し、ＲＶ＝０の送信がなくなる場合、そのＳＩをＵＥにおける復号対象から除外する設定を行い、ＲＶ＝０の送信がなくならない場合、ＳＩをＵＥにおける復号対象とする設定を行う。
【００４９】
このように実施の形態３によれば、ＳＩＢ１によってＳＩのＲＶ＝０が送信されなくなる場合には、このＳＩをＵＥにおける復号対象から除外することにより、復号される可能性の低いＳＩをＵＥは復号する必要がなくなり、無駄な処理を削減することができる。
【００５０】
なお、本実施の形態の骨子は以下の通りである。システマチックビットを多く含むサブフレーム（例えば、ＳＩのＲＶ＝０となるサブフレーム）が受信できない場合、システマチックビットが不足するため、受信装置で復号を試みても失敗に終わる可能性が高い。従って、本実施の形態では、このようなサブフレームの送信が、他の優先的に送信すべきデータに邪魔されることが分かっているならば、復号を行わないよう受信装置に指示を行う。これによって、受信装置での無駄な処理を削減することができる。
【００５１】
また、上記の実施の形態１〜３では、「初送、かつ、ＲＶ０のサブフレーム」の送信タイミングと他の情報の送信タイミングが重複した場合について検討していたが、これに限られるものではない。
【００５２】
例えば、実施の形態１〜３の処理を行うのは、「初送」でないサブフレームであっても構わない。上述した実施の形態１〜３で、「初送」のサブフレームについて検討しているのは、ＳＩＢが、ＬＴＥ規格上、ＳＩの初送のタイミングでリソースを奪う恐れがあるからである。従って、他のタイミングでリソースが奪われる場合には、そのようなサブフレームに対しても、上述した実施の形態１〜３の処理を行ってもよい。ただし、２回目以降の送信が邪魔されても、初送で所定のサブフレームを受信済みの可能性が高いので、上述した実施の形態１〜３の処理を「初送」の場合に適用する方が得られる効果は大きい。
【００５３】
また、「ＲＶ０」のサブフレームを対象としているのは、ＳＩがＬＴＥ規格上システマチックビットの後にパリティビットが続く構造になっており、先頭のサブフレームが最も多くシステマチックビットを含むからである。したがって、他のサブフレームの方がシステマチックビットを多く含むのであれば、そのサブフレームを対象として上記の実施の形態１〜３の処理を行ってもよい。また、より少ないシステマチックビットを含むサブフレームを対象として、上記の実施の形態１〜３の処理を行ってもよい。ただし、最もシステマチックビットが多く含まれるサブフレームを対象とした方が得られる効果は大きい。
【００５４】
以上、実施の形態１〜３を、ＬＴＥ規格を基に説明したが、これに限られるものではない。例えば、実施の形態１〜３の思想を、Ｄ−ＢＣＨ以外のチャネルに適用してもよいし、System Information以外の情報に適用してもよい。また、上記の実施の形態１〜３では、送信されるサブフレームが切り替わった場合に通知を行う情報として、送信開始位置を示す情報（ＲＶ）を利用していたが、これに限られるものではない。送信されたサブフレームがデータのどの部分であるかを示す情報を用いることができるなら、他の情報を用いても構わない。すなわち、上述した実施の形態１〜３における説明は、ＬＴＥ規格向けのものであるが、これに限られるものではない。将来、ＬＴＥ規格と同様もしくは類似する規格が将来登場した場合にも、本発明の思想をそれらの規格に適用することができる。
【産業上の利用可能性】
【００５５】
本発明にかかる無線通信装置及び無線通信方法は、例えば、移動通信システムに適用できる。
【符号の説明】
【００５６】
１０１、１２１、１３１  ＳＩ初送再送判定部
１０２  ＳＩ送信方法決定部
１０３  ＰＤＣＣＨリソース制御部
１０４  ＰＤＳＣＨリソース制御部
１２２  ＭＢＳＦＮ送信タイミング決定部
１３２  ＳＩＢ１情報決定部
【図１】
2011249915.tif 000003
【図２】
2011249915.tif 000004
【図３】
2011249915.tif 000005
【図４】
2011249915.tif 000006
【図５】
2011249915.tif 000007
【図６】
2011249915.tif 000008